(57)【要約】      （修正有）【課題】溶接ガン本体に設置されるアームホルダの形状がアームの基端部と異なる場合であっても、アームの基端部とアームの互換性を確保するための新規な物品である溶接ガン用アダプタ、これを備えた溶接ガンアーム並びに溶接ガン主体、及び当該溶接ガン用アダプタを備えた溶接ガンを提供する。【解決手段】一方の電極２６を有する溶接ガン本体２の本体側接続部と着脱可能となる第一接続部１１と、他方の電極３１を有するガンアーム本体３の基端側３ａと着脱可能となる第二接続部１２とを一体として備える。【選択図】図１
0003196346.tif 000002
【実用新案登録請求の範囲】
【請求項１】
一方の電極を有する溶接ガン本体の本体側接続部と着脱可能となる第一接続部と、他方の電極を有するガンアーム本体の基端側と着脱可能となる第二接続部とを一体として備えたことを特徴とする溶接ガン用アダプタ。
【請求項２】
第一接続部は、第二接続部に対して前方へ張り出した張出部を備え、当該第一接続部は、前記ガンアーム本体の基端側を保持する保持穴を備え、
前記張出部には、前記保持穴に通じるガイド突起取付穴を備え、当該ガイド突起取付穴に前記ガイド突起を取着した構成としたことを特徴とする請求項１記載の溶接ガン用アダプタ。
【請求項３】
係止部及び操作部を有する係合手段を備えた本体側接続部を有する溶接ガン本体に対応する溶接ガン用アダプタであり、
前記第二接続部は、第一係止部と第二係止部とを備え、これらのいずれか一方の係止部を溶接ガン本体における本体側接続部の係止部と係止した状態で、前記第一係止部と第二係止部のいずれか他方の係止部が、前記溶接ガン本体の操作部を有する係合手段と係脱可能な構成としたことを特徴とする請求項１又は２記載の溶接ガン用アダプタ。
【請求項４】
請求項１〜３のいずれかに記載の溶接ガン用アダプタとガンアーム本体とを接続してなることを特徴とする溶接ガンアーム。
【請求項５】
前記他方の電極は電極用ガイド溝を備え、ガンアーム本体における電極取付部が、前記電極用ガイド溝と相対的に摺動可能な電極用ガイド突起を備えたことを特徴とする請求項４記載の溶接ガンアーム。
【請求項６】
請求項１〜３のいずれかに記載の溶接ガン用アダプタと溶接ガン本体とを接続してなることを特徴とする溶接ガン主体。
【請求項７】
請求項１〜３のいずれかに記載の溶接ガン用アダプタを備えたことを特徴とする溶接ガン。
【考案の詳細な説明】
【技術分野】
【０００１】
本考案は、新規な物品として、抵抗溶接ガンにおける溶接手段となる電極の一方を保持する溶接ガンアームを溶接ガン本体に接続する溶接ガン用アダプタに関する。
また、これを有する溶接ガンアーム並びに、前記溶接ガン用アダプタを有する溶接ガン主体（溶接ガン本体と溶接ガン用アダプタとからなるものをいう。以下同じ。）、更に、前記溶接ガン用アダプタを有する溶接ガンに関する。
【背景技術】
【０００２】
従来、抵抗溶接ガンの溶接手段となる一対の電極の一方を保持するガンアームの最適な位置決め、交換を可能とするアームホルダが公知である。
このようなアームホルダを備えた抵抗溶接ガンとして、本出願人が先にした発明として、第一電極チップ及び第二電極チップを備え、前記第一電極チップに対して第二電極チップを相対的に移動可能とするとともに、固定部によって第二電極チップの相対的な位置決めを可能とするスポット溶接ガンにおいて、第二電極チップ若しくは第二電極チップを取着したアーム部を保持するための保持部と、前記保持部に保持される、第二電極チップ若しくは第二電極チップを取着したアーム部における被保持部を備え、前記被保持部には、長手方向に連続する溝部を備え、保持部内には、前記溝部が摺動する突出部を備えたスポット溶接ガン（例えば、特許文献１参照。）が公知である。
【０００３】
また、アームの交換を容易な溶接ガンの提供を目的とするものとして、例えば、互いに対向する第１の電極チップ及び第２の電極チップと、前記第１の電極チップを前記第２の電極チップに対して当接離間可能に保持する駆動手段を備えたガン本体と、前記ガン本体に設けられたアームホルダに回動可能かつ着脱可能に固定されるアームと、を備える抵抗溶接ガンであって、前記アームホルダは、前記アームの端部を回動可能に軸支する軸孔と、前記軸孔の内周面に、前記アーム側の開口面から所要間隔離間して、回動軸方向と直交する方向に形成された始端と終端を有する第１の溝と、同じく前記軸孔の内周面に形成され、前記アーム側の開口面と前記第１の溝とを連通する第２の溝と、を有して構成され、前記アームは、一端側に前記第２の電極チップを保持するアーム部と、前記アーム部の他端側に設けられた回動軸部と、この回動軸部の外周面に設けられ、前記第１の溝の始端または終端と当接させたときに、前記第１及び第２の電極チップが互いに対向するようにアームを位置決めする突起体と、から構成されることを特徴とする抵抗溶接ガンが公知である（例えば、特許文献２参照。）
【０００４】
また、アームの交換容易性、電極チップの正確な位置出しを可能とすることを目的とするものとして、互いに対向する第１の電極チップおよび第２の電極チップと、前記第１の電極チップを前記第２の電極チップに対して当接離間可能に保持する駆動手段を備えたガン本体と、前記ガン本体に設けられたアームホルダに、着脱可能に固定される複数種のアームと、を備える抵抗溶接ガンにおいて、前記アームの基端部を回動可能に且つ前記アームとの間を電気的に絶縁した状態で軸支する軸孔と、前記軸孔の一部を軸方向に分断するように形成されたスリットと、前記スリットにより分断された一方および他方に前記スリットに直交して形成された貫通孔および雌ねじ部と、前記貫通孔を挿通し前記雌ねじ部に螺合する雄ねじ部を有するクランプレバーと、を有するアームホルダと、先端側に前記第２の電極チップを保持するアーム部と、前記アーム部の基端側に設けられた回動軸部と、前記アーム部の基端側外周部に設けられた突起部材とを有するアームと、前記アームホルダに固定され、前記軸孔に嵌装された状態の前記アームを一方向に回動させ前記アーム部に設けられた前記突起部材に当接させたとき、前記第１および第２の電極チップが互いに対向するようにアームの位置決めをする絶縁材料からなる位置規制部材と、から構成されることを特徴とする抵抗溶接ガンが公知である（例えば、特許文献３参照。）。
【先行技術文献】
【特許文献】
【０００５】
【特許文献１】特開２０１４−５４６６４号公報
【特許文献２】特開２００４−３１４１３１号公報
【特許文献３】特許第５１６２３４９号公報
【考案の概要】
【考案が解決しようとする課題】
【０００６】
上記特許文献１に係るスポット溶接ガンに使用するアームホルダは、第二電極チップ若しくは第二電極チップを取着したアーム部を保持するための保持部と、前記保持部に保持される、第二電極チップ若しくは第二電極チップを取着したアーム部における被保持部を備え、前記被保持部には、長手方向に連続する溝部を備え、保持部内には、前記溝部が摺動する突出部を備えた構成を有している。当該アームホルダとアーム部とは着脱可能である。また、アームホルダは溶接ガン本体に対して規制された一定範囲での回動を許容する機能を有するものである。一方で、アームホルダは溶接ガン本体と一体として用いるものであり、規制部材（６１）が柱状軸部（４０）の側面に固定され、当該アームホルダの側面の長穴を貫通して外部に突出した構成を備えるものであり、溶接ガン本体に対して搖動可能として一体に構成され、着脱を前提とするものではなかった。
【０００７】
また、特許文献２、特許文献３に係る抵抗溶接ガンは、いずれもアームホルダを備える。しかし、アームホルダを溶接ガン本体に一体に取付けた構成を備えるものである。
従って、特許文献２、特許文献３に係るいずれの発明においても特許文献１と同様に、アームホルダは溶接ガン本体と一体として用いるものであり、着脱を前提とするものではなかった。
【０００８】
上記いずれの発明についても、アームホルダに取付けるアームの基端部の形状が当該アームホルダ側の形状と一致する場合には、各種の溶接ガン本体に対するアームの互換性が確保できる。しかしながら、上記いずれの発明についても、アームホルダは溶接ガン本体と一体に構成されるものであることから、アームホルダの形状とアームの基端部の形状とが対応しない場合には、取付けが不可能であった。
【０００９】
本考案は、以上の事情に鑑みてなされたものであり、溶接ガン本体に設置されるアームホルダの形状がアームの基端部と異なる場合であっても、アームの基端部とアームの互換性を確保するための新規な物品である溶接ガン用アダプタ、及び、これを備えた溶接ガンアーム、並びに当該溶接ガン用アダプタを備えた溶接ガンの提供を、考案が解決しようとする課題とする。
【００１０】
また、溶接ガン用アダプタは安定した係止状態が保たれることが求められる。このため本考案は上記課題を前提とした上で、安定した係止状態が保持できる上記溶接ガン用アダプタ、及び、これを備えた溶接ガンアーム、並びに当該溶接ガン用アダプタを備えた溶接ガンの提供を考案が解決しようとする課題とする。
【課題を解決するための手段】
【００１１】
本考案は、溶接ガン本体の本体側接続部と着脱可能な第一接続部と、ガンアーム本体の基端側と着脱可能となる第二接続部とを備えたことを特徴とする溶接ガン用アダプタを、上記課題を解決するための手段とする。
【００１２】
また本考案は、上記考案の構成を前提として、第一接続部は、第二接続部に対して前方へ張り出した張出部を備え、当該第一接続部は、前記ガンアーム本体の基端側を保持する保持穴を備え、前記張出部には、前記保持穴に通じるガイド突起取付穴を備え、当該ガイド突起取付穴に前記ガイド突起を取着した構成としたことを特徴とする溶接ガン用アダプタを、上記課題を解決するための手段とする。
【００１３】
また本考案は、上記いずれかの考案の構成を前提として、係止部及び操作部を有する係合手段を備えた本体側接続部を有する溶接ガン本体に対応する溶接ガン用アダプタであり、前記第二接続部は、第一係止部と第二係止部とを備え、これらのいずれか一方の係止部を溶接ガン本体における本体側接続部の係止部と係止した状態で、前記第一係止部と第二係止部のいずれか他方の係止部が、前記溶接ガン本体の操作部を有する係合手段と係脱可能な構成としたことを特徴とする溶接ガン用アダプタを、上記課題を解決するための手段とする。
【００１４】
また本考案は、上記いずれかの溶接ガン用アダプタと、ガンアーム本体とを接続してなるガンアームを、上記課題を解決するための手段とする。
【００１５】
また本考案は、上記ガンアームに係る考案について、前記他方の電極は電極用ガイド溝を備え、ガンアーム本体における電極取付部が、前記電極用ガイド溝と相対的に摺動可能な電極用ガイド突起を備えたことを特徴とするガンアームを、上記課題を解決するための手段とする。
【００１６】
また本考案は、上記いずれかに記載の溶接ガン用アダプタと、溶接ガン本体とを接続してなることを特徴とする溶接ガン主体を、上記課題を解決するための手段とする。
【００１７】
また本考案は、上記いずれかに記載の溶接ガン用アダプタを備えた溶接ガンを、上記課題を解決するための手段とする。
【考案の効果】
【００１８】
本考案によれば、溶接ガン本体の本体側接続部と着脱可能な第一接続部と、ガンアーム本体の基端側と着脱可能となる第二接続部とを備えたことを特徴とする溶接ガン用アダプタとしたことから、ガンアーム本体の断面形状に応じた溶接ガン用アダプタを使用することで、溶接ガン本体に種々のガンアーム本体を取付できる従来の効果を得られるだけなく、溶接ガン本体と着脱可能な当該第一接続部を備えたことによって、溶接ガン本体に対して従来接続が不可能であったガンアーム本体であっても、対応する形状を有する溶接ガン本体に対して着脱が可能となり、ガンアーム本体と溶接ガン本体との互換性を高めることができる。
【００１９】
また本考案によれば、上記考案の構成を前提として、第一接続部は、第二接続部に対して前方へ張り出した張出部を備え、当該第一接続部は、前記ガンアーム本体の基端側を保持する保持穴を備え、前記張出部には、前記保持穴に通じるガイド突起取付穴を備え、当該ガイド突起取付穴に前記ガイド突起を取着した構成とした溶接ガン用アダプタとしたことから、上記考案の作用効果を奏する上に、溶接ガン用アダプタとガンアーム本体との接続位置において、ガイド突起がガイド溝に嵌り込んだ状態を維持することから、溶接ガン用アダプタに対するガンアーム本体の周方向のずれを防止できる利点を有する。
【００２０】
また、作用効果を発揮するための構成として、第一接続部は、第二接続部に対して前方へ張り出した張出部を備え、当該第一接続部は、前記ガンアーム本体の基端側を保持する保持穴を備え、前記張出部には、前記保持穴に通じるガイド突起取付穴を備える構成としたことによって、ガイド突起取付穴を厚さ寸法が小さくなる張出部に対して形成するため、当該ガイド突起取付穴の穿孔作業を簡単に行える利点を有する。
【００２１】
また本考案によれば、上記考案の構成を前提として、係止部及び操作部を有する係合手段を備えた本体側接続部を有する溶接ガン本体に対応する溶接ガン用アダプタであり、前記第二接続部は、第一係止部と第二係止部とを備え、これらのいずれか一方の係止部を溶接ガン本体における本体側接続部の係止部と係止した状態で、前記第一係止部と第二係止部のいずれか他方の係止部が、前記溶接ガン本体の操作部を有する係合手段と係脱可能な構成とした溶接ガン用アダプタとしたことから、上記いずれかの考案の作用効果を奏する上に、溶接ガン本体の前記係止部と当該溶接ガン用アダプタの第一係止部とを係止させた状態で、前記操作部を有する係合手段によって当該溶接ガン用アダプタの第二係止部を固定することができるため、少なくとも二点の係止状態が確保でき、安定した係止状態を実現できる利点を有する。
【００２２】
また本考案によれば、上記のいずれかに記載の溶接ガン用アダプタに対してガンアーム本体を接続してなる溶接ガンアームとしたことによって、当該溶接ガン用アダプタの第一接続部と溶接ガン本体の本体側接続部とが着脱可能となるため、前記溶接ガンアームは、従来接続不可能な溶接ガン本体に対する互換性を具備することができる。
【００２３】
また本考案によれば、上記溶接ガンアームを前提として、前記他方の電極は電極ガイド溝を備え、ガンアーム本体における電極取付部が、前記電極用ガイド溝と相対的に摺動可能な電極用ガイド突起を備えた溶接ガンアームとすることによって、上記溶接ガンアームに係る考案の作用効果を奏する上に、前記電極用ガイド突起が前記電極用ガイド溝に対して嵌り込んだ状態を維持することから、ガンアーム本体における前記他方の電極の周方向のずれを防止できる利点を有する。
【００２４】
また本考案によれば、上記いずれかの溶接ガン用アダプタと、前記溶接ガン本体を接続してなる溶接ガン主体としたことによって、従来では当該溶接ガン本体の形状では対応できない形状のガンアーム本体であっても接続することが可能となり、ガンアーム本体に対する互換性を向上させることができる。
【００２５】
また本考案によれば、上記いずれかの溶接ガン用アダプタを備えた溶接ガンとしたことによって、当該溶接ガン用アダプタの第一接続部、第二接続部の形状に応じて、第一接続部側に対応する溶接ガン本体、当該溶接ガン用アダプタの第二接続部に対応するガンアーム本体の互換性を確保することができ、種々の溶接ガン本体及びガンアーム本体に対する互換性を実現できる。
【図面の簡単な説明】
【００２６】
【図１】本考案の実施例に係る（ａ）溶接ガン用アダプタを示す斜視図、（ｂ）溶接ガン用アダプタ、ガンアーム本体、溶接ガン本体の関係を示す説明図である。
【図２】本考案の実施例に係る溶接ガン用アダプタのアダプタ本体を示す（ａ）正面図、（ｂ）左側面図、（ｃ）当該左側面図中ガンアーム本体の基端部のＡ−Ａ拡大断面図である。
【図３】本考案の実施例に係る溶接ガン用アダプタのアダプタ本体を示す（ａ）右側面図、（ｂ）平面図である。
【図４】本考案の実施例に係る溶接ガン用アダプタのアダプタ本体を示す（ａ）底面図、（ｂ）Ｂ−Ｂ断面図である。
【図５】本考案の実施例に係る溶接ガン用アダプタのアダプタ本体を示す（ａ）Ｃ−Ｃ断面図、（ｂ）Ｄ−Ｄ断面図である。
【図６】本考案の実施例に係る溶接ガン用アダプタと溶接ガン本体とを接続する前の状態を示す斜視図、及び係止軸部のＥ−Ｅ端面図である。
【図７】本考案の実施例に係る溶接ガン用アダプタの第一接続部を溶接ガン本体の本体側接続部に嵌め込んだ状態を示す斜視図である。
【図８】本考案の実施例に係る溶接ガン用アダプタの第一接続部を溶接ガン本体の本体側接続部に嵌め込んだ後に、係止部操作レバーを操作してロックし、溶接ガン主体を構成した状態を示す斜視図である。
【考案を実施するための形態】
【００２７】
本考案の実施例に係る溶接ガン用アダプタ１及びこれを備えたガンアーム本体３並びに溶接ガン主体、及び溶接ガンについて、以下に説明する。尚、本考案は以下の実施例に限定されるものではない。また、以下説明において、図３の正面図における溶接ガン本体２の左方を前方、右方を後方として説明する。
【実施例】
【００２８】
本考案の実施例に係る溶接ガン用アダプタ１は、図１及び図２に示すように、基本構成として、アダプタ本体１０に、溶接ガン本体２と接続可能となる第一接続部１１と、ガンアーム本体３と接続可能となる第二接続部１２とを一体として備えたものである。前記第一接続部１１はアダプタ本体１０の下部１０ａに設けられる。
前記第二接続部１２は当該アダプタ本体１０の上部１０ｂに設けられる。また、前記アダプタ本体１０の上部１０ｂに位置する第二接続部１２は、下部１０ａに位置する第一接続部１１よりも前方へ張り出した張出部１２ａを有する。
【００２９】
前記第一接続部１１は、後面となるアダプタ側当接面１１１に対して形成される第一係止凹部１１０を備える。また、前面下部及び底面１１４から連続して側面視円弧状輪郭を有する第二係止凹部１１３を備える。
【００３０】
前記第二接続部１２は、アダプタ本体１０の上部１０ｂの前面から後面へ貫通する保持穴１２４と、当該保持穴１２４の内周面となる保持内周部１２０と、該保持内周部１２０から上方へ向けて連続するスリット１２２と、該スリット１２２によって、左右相互に対向して形成される挟持片１２３、１２３とを備える。
【００３１】
保持内周部１２０はガンアーム本体３の外径寸法に対応する内径寸法を有する。前記アダプタ本体１０の張出部１２ａの下部には、当該張出部１２ａの下面から保持内周部１２０に繋がるガイド突起取付穴１２５を備える。当該ガイド突起取付穴１２５の内周面には、雌螺子部を設けてある。保持内周部１２０には、当該雌螺子部に螺合する雄螺子部を有するガイド突起１２１を突設する。
【００３２】
挟持片１２３は、対向する一方に挿通穴１２３ａ、他方に螺子穴１２３ｂを組として備えている。本実施例では当該挿通穴１２３ａ及び螺子穴１２３ｂを二組形成してある。
また、挟持片１２３の一方にのみ螺子穴１２３ｃを追加して形成してある。当該螺子穴１２３ｃに対して雄螺子１２７を螺合させ、対向する挟持片１２３側へ移動させることで当該対向する挟持片１２３を押圧してスリット１２２の幅寸法を拡大可能とさせる構成とする。
【００３３】
本実施例において用いる溶接ガン本体２は、上記アダプタ本体１０の第一接続部１１に対応する本体側接続部２０を、その上部に備えている。本体側接続部２０は、接続用凹部２０ａ内の後端側に、前記アダプタ本体１０の第一係止凹部１１０及びアジャスタ側当接面１１１と噛合する後方係止部となる後方係止軸部２１、及び第一当接面２２を備える。尚、図示省略しているが、本実施例に係る溶接ガン本体２は吊下手段を有している。
【００３４】
また前記接続用凹部２０ａの前方寄り位置に、前記第二係止凹部１１３と嵌合可能な係止軸部２３を備えている。当該係止軸部２３は、その周面２３ａの一部に長手方向に連続する平面部２３ｂを形成した構成である。即ち、係止軸部２３はその断面が完全な正円形輪郭ではなく、当該輪郭の円弧の一部を直線状とした形状である。
【００３５】
当該係止軸部２３は両端を軸受部２４、２４よって回動可能に保持されている。また係止軸部２３の一端は係止軸部操作レバー２５と連結されている。係止軸部操作レバー２５は、前記係止軸部２３の軸中心を基準として、約１８０°の範囲で移動可能としている。
【００３６】
本実施例において用いるガンアーム本体３は、その基端側周面の下部に、長手方向に連続するガイド溝部３０を備える。ガイド溝部３０の幅は、前記ガイド突起１２１が摺動可能な幅を確保してある。またガイド溝部３０の深さ（高さ）は前記ガイド突起１２１が収納できる寸法を確保してある。ガンアーム本体３の先端側には、開口３２ａを有する電極取付部３２を備えている。当該電極取付部３２は、前記溶接ガン本体２の有する電極２６（一方の電極）と対となる先端側電極３１（他方の電極）を取付けるためのものである。そして当該電極取付部３２における開口３２ａ内には、電極ガイド用突起３１１を突設している。
【００３７】
また、図１（ｂ）に示すように、先端側電極３１の基端側周面には、電極用ガイド溝３１０を形成してある。当該ガンアーム本体３における先端側の電極用ガイド突起取付穴３３に取付けた電極用ガイド突起３１１と当該電極用ガイド溝３１０は、当該ガンアーム本体３とその先端側電極３１とを相対的に摺動可能とするためのものであり、且つ、これら両者における相対的な周方向のずれを防止するためのものである。
【００３８】
溶接ガン用アダプタ１と溶接ガン本体２との取付においては、先ず、前記アダプタ本体１０の第一係止凹部１１０を溶接ガン本体２の後方係止軸部２１に対して差し込んで噛合させ、当該アダプタ本体１０のアジャスタ側当接面１１１と前記溶接ガン本体２の第一当接面２２とを当接させる。
【００３９】
次に、溶接ガン本体２の係止軸部操作レバー２５を操作する。溶接ガン本体２の係止軸部２３は当該係止軸部操作レバー２５に従動する。溶接ガン用アダプタ１を溶接ガン本体２に取り付け可能な状態においては、係止軸部２３の平面部２３ｂは後方に面している。そして、係止軸部操作レバー２５を引き起こし反対側へ倒すことによって、係止軸部２３が回転して、平面部２３ｂの位置が逆転し、溶接ガン用アダプタ１の第二係止凹部１１３に対して係止する。
【００４０】
以上によって、第一係止凹部１１０及び後方係止軸部２１の係止状態、第二係止凹部１１３と係止軸部２３との係止状態の双方が実現することにより、当該溶接ガン本体２とアダプタ本体１０とが固定される。
【００４１】
ガンアーム本体３と溶接ガン用アダプタ１との取付においては、先ず、ガンアーム本体３の基端部３ａを当該溶接ガン用アダプタ１の上部１０ｂの第二接続部１２に対して挿通する。
【００４２】
第二接続部１２の保持内周部１２０内で突出するガイド突起１２１と、ガンアーム本体３の基端部３ａ側に形成したガイド溝３０とが軸方向への摺動を許容するとともに、軸に対する回転方向のずれを防止する。
【００４３】
そして、挟持片１２３における挿通穴１２３ａの開口から対向する位置にある前記螺子穴に対してレバー付きの雄螺子１２６を用いて螺合し、締め込むことで前記スリット１２２の幅を狭め、保持内周部１２０を構成する貫通穴を縮径させる。これによって、第二接続部１２にガンアーム本体３の基端部３ａを固定する。ガンアーム本体３に溶接ガン用アダプタ１を取付けることで、溶接ガンアームが構成される。
【００４４】
また、ガンアーム本体３を第二接続部１２から取り外す際には、螺子穴１２３ｃに対して図示されない雄螺子を螺合させ、対向する挟持片１２３側へ移動させることで当該対向する挟持片１２３を押圧してスリット１２２の幅寸法を拡大可能とさせて、容易に挟持片１２３、１２３間からガンアーム本体３を離脱させることができる。
【００４５】
以上によって溶接ガン用アダプタ１が、ガンアーム本体３と溶接ガン本体２との双方と接続される。また、接続の際に、溶接ガン用アダプタ１に対してガンアーム本体３を前後方向にスライドさせることで先端側電極３１の位置を前後させることができる。
【００４６】
本考案において、溶接ガン用アダプタ１に形成されるスリット１２２は、上方のみならず、例えば側方とすることができる。即ち、スリット１２２は、保持内周部１２０から外方へ連続するものであればよい趣旨である。
【００４７】
また前記スリット１２２は、上記実施例において１本のみ設けた構成としている。しかしながら、本考案では当該構成に限るものではない。例えば図示省略するが、２本のスリット１２２を形成することで当該２本のスリット１２２間として当該溶接ガン用アダプタ１から分離される部品を、再度複数本のボルトによって当該溶接ガン用アダプタ１に繋ぐ構成とすることもできる。
【００４８】
また上記実施例では、当該溶接ガン用アダプタ１の第二接続部１２の保持穴１２４の形状を、ガンアーム本体３の断面形状である円形（ガイド溝３０を除く。）に対応して円形の開口１２４ａを形成している。しかしながら、本考案は当該構成に限定されるものではなく、例えば、ガンアーム本体３の断面形状及びこれに対応する溶接ガン用アダプタ１の当該開口１２４ａの形状を矩形等とすることもできる。
【００４９】
また上記実施例では、当該溶接ガン用アダプタ１の第一接続部１１に第一係止凹部１１０及び第二係止凹部１１３を形成して溶接ガン本体２の前記後方係止軸部２１と当該溶接ガン用アダプタ１の第一係止凹部１１０とを係止させた状態で、前記係止軸部操作レバー２５を操作して係止軸部２３によって当該溶接ガン用アダプタ１の第二係止凹部１１３を固定する構成としている。しかしながら、本考案は当該構成に限定されるものではなく、例えば、第二係止凹部１１３を固定するための溶接ガン本体２の係止軸部２３を用いたものに代えて、前方若しくは側方から第二係止凹部１１３に対して入出可能となるスライド板等を設けることもできるし、公知の種々の係止手段を用いることができる。
【００５０】
また、本考案においては、ガイド突起１２１の形状は上記実施例に記載した円柱状のものに限定されず、例えば、ガイド突起１２１の形状が、角柱状等の他の柱状、円錐若しくは角錐状、錐台状等種々の形状を適宜選択できる。
【００５１】
また、本考案においては、当該二点以上の箇所での係止を行う場合のみに限定するものではない。しかしながら、上記実施例等に示したように、二点以上で係止状態を確保することによっては、安定した係止状態の維持が容易となる点で優れる。
【００５２】
以上のように、本考案によれば、第一接続部１１、第二接続部１２を一体として有し、ガンアーム本体３及び溶接ガン本体２の双方に対して着脱自在となる溶接ガン用アダプタ１であればよく、各接続部１１、１２の形状自体については種々の公知の形状を利用するものを含む。また、その他公知技術の付加、転換、削除、その他設計事項によってなされる種々の変形を含む。
【符号の説明】
【００５３】
１        溶接ガン用アダプタ
１０      アダプタ本体
１０ａ    下部
１０ｂ    上部
１１      第一接続部
１１０    第一係止凹部（第一係止部）
１１１    アダプタ側当接面
１１３    第二係止凹部（第二係止部）
１１４    底面
１２      第二接続部
１２ａ    張出部
１２０    保持内周部
１２１    ガイド突起
１２２    スリット
１２３    挟持片
１２３ａ  挿通穴
１２３ｂ  螺子穴
１２３ｃ  螺子穴
１２４    保持穴
１２４ａ  開口
１２５    ガイド突起取付穴
１２６    レバー付きの雄螺子
１２７    雄螺子
２        溶接ガン本体
２０      本体側接続部
２０ａ    接続用凹部
２１      後方係止軸部（係止部）
２２      第一当接面
２３      係止軸部（係合手段）
２３ａ    周面
２３ｂ    平面部
２４      軸受部
２５      係止軸部操作レバー（操作部）
２６      電極
３        ガンアーム本体
３ａ      基端部
３０      ガイド溝
３１      先端側電極
３１０    電極用ガイド溝
３１１    電極用ガイド突起
３２      電極取付部
３２ａ    開口
３３      電極用ガイド突起取付穴
【図１】
0003196346.tif 000003
【図２】
0003196346.tif 000004
【図３】
0003196346.tif 000005
【図４】
0003196346.tif 000006
【図５】
0003196346.tif 000007
【図６】
0003196346.tif 000008
【図７】
0003196346.tif 000009
【図８】
0003196346.tif 000010